(57)【要約】      （修正有）【課題】繊細な図案を印刷しやすく、水分の逆戻りを防止して図案を取れにくくしたタオル構造を提供する。【解決手段】タオル構造は、タオル本体１０と逆浸透膜２０とを含む。タオル本体には第一表面１１と第二表面１２があり、第一表面は逆浸透膜が結合するように構成され、第二表面にはパイル層１２１が構成される。逆浸透膜には第一表面と互いに結合する内側面２１があり、逆浸透膜の外側面には起毛処理によって短い毛足状の毛ループ２２１が形成される。短い毛足状の毛ループの設置によって逆浸透膜にパイル状の感触を与えられる上に、繊細な図案層を逆浸透膜の外側面に印刷しやすくなる。【選択図】図２
0003228230.tif 000002
【実用新案登録請求の範囲】
【請求項１】
タオル本体と逆浸透膜とを含むタオル構造であって、
上記タオル本体には第一表面と第二表面があり、上記タオル本体の第一表面は上記逆浸透膜が結合するように提供され、上記タオル本体の第二表面にはパイル層が構成され、
上記逆浸透膜には上記タオル本体の第一表面と互いに結合するための内側面があり、上記逆浸透膜の外側面には起毛処理によって短い毛足状の毛ループが形成され、上記短い毛足状の毛ループの設置によって上記逆浸透膜にパイル状の感触を与えられる上に、繊細な図案層を上記逆浸透膜の外側面に印刷しやすくなり、上記逆浸透膜は水分が単方向に通過する特性しか提供しないため、上記水分が上記外側面の図案層へ逆戻りすることを防止できることを特徴とするタオル構造。
【請求項２】
上記タオル本体と逆浸透膜とは互いに貼り合わせられることを特徴とする請求項１のタオル構造。
【請求項３】
上記逆浸透膜は高温によって上記タオル本体に貼り合わせられることを特徴とする請求項２のタオル構造。
【考案の詳細な説明】
【技術分野】
【０００１】
本考案はタオル構造に関し、特に拭き取り機能があり、水分の逆戻りを防止できるタオル構造に関する。
【背景技術】
【０００２】
一般的なタオルにはパイル層があり、該パイル層は良好な吸水性を提供できるが、その表面にパイルが満遍なくあり、繊細なプリントが印刷されにくいため、従来は比較的簡単な図案でしか表現できない。さらに、上述パイル層は良好な吸水性を持つため水分が上述図案層へ逆戻りすることになり、上述図案は長時間にわたって湿った状態になるため、取れやすくなる。
【０００３】
従って、上述のような従来のタオル構造における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００４】
本考案が解決しようとする課題は、従来のタオルは繊細な図案を印刷されにくく、またプリントした図案は取れやすいといった従来技術に存在する上述の欠点について解決し、タオル構造を提供する。
【課題を解決するための手段】
【０００５】
タオル構造は、タオル本体と逆浸透膜とを含む。その中、タオル本体には第一表面と第二表面があり、該タオル本体の第一表面は上述逆浸透膜が結合するように提供され、上述タオル本体の第二表面にはパイル層が構成される。逆浸透膜には上述タオル本体の第一表面と互いに結合するための内側面があり、上述逆浸透膜の外側面には起毛処理によって短い毛足状の毛ループが形成される。該短い毛足状の毛ループの設置によって上述逆浸透膜にパイル状の感触を与えられる上に、繊細な図案層を上述逆浸透膜の外側面に印刷しやすくなる。該逆浸透膜は水分が単方向に通過する特性しか提供できないので、上述水分が上述外側面の図案層へ逆戻りすることを防止できる。これによって、タオル構造が得られる。
（一）上述逆浸透膜の結合によって上述タオルには短い毛足状の毛ループの外側面が形成されるので、繊細な図案層を印刷しやすいという目的を達せる。
（二）上述逆浸透膜は水分が単方向に通過することしか提供できないので、吸い取った上述水分が再び上述逆浸透膜の外側面へ逆戻りすることを防止できるため、該外側面が常に乾燥が保たれ、上述外側面にある図案層が長時間にわたって湿った状態になって抜けやすくなることが避けられる。
（三）上述逆浸透膜の外側面は常に乾燥が保たれるため、取る時に湿った感じが避けられ、使用上においても衛生的であり、タオルが湿ったために細菌が大量発生することを防止できる。
【図面の簡単な説明】
【０００６】
【図１】図１は、本考案に係るタオル構造を示す立体組み合わせ図である。
【図２】図２は、本考案に係るタオル構造を示す立体分解図である。
【図３】図３は、本考案の別の角度を示す立体組み合わせ図である。
【図４】図４は、本考案に係るタオル構造を示す組合せ断面図である。
【図５】図５は、本考案は外側面によって水分を拭き取る使用状態図である。
【図６】図６は、本考案は図５のように水分を拭き取った後も逆戻りしない状態図である。
【図７】図７は、本考案は第二表面によって水分を拭き取り、かつ逆戻りしない状態図である。
【考案を実施するための形態】
【０００７】
まず、図１から図４を参照されたい。本考案のタオル構造は、タオル本体（１０）と逆浸透膜（２０）とを含む。その中、タオル本体（１０）には第一表面（１１）と第二表面（１２）があり、該タオル本体（１０）の第一表面（１１）は上述逆浸透膜（２０）が結合するために提供され、上述タオル本体（１０）の第二表面（１２）にはパイル層（１２１）が構成される。逆浸透膜（２０）には上述タオル本体（１０）の第一表面（１１）と互いに結合するための内側面（２１）があり、上述逆浸透膜（２０）の外側面（２２）は起毛処理によって短い毛足状の毛ループ（２２１）が形成される。該短い毛足状の毛ループ（２２１）の設置によって上述逆浸透膜（２０）にパイル状の感触を与えられる以外、繊細な図案層（３０）を上述逆浸透膜（２０）の外側面（２２）に印刷しやすくなる。該逆浸透膜（２０）は水分（４０）が単方向に通過する特性しか提供できないことで、上述水分（４０）が上述外側面（２２）の図案層（３０）へ逆戻りすることを防止できる。
【０００８】
上述タオル本体（１０）と逆浸透膜（２０）とは互いに貼り合わせられる。
【０００９】
上述逆浸透膜（２０）は高温によって上述タオル本体（１０）の第一表面（１１）に貼り合わせられる。
【００１０】
実際に使用する時、逆浸透膜（２０）の外側面（２２）（同時に図５を参照されたい）、またはタオル本体（１０）の第二表面（１２）（同時に図７を参照されたい）によって拭き取っても、上述逆浸透膜（２０）またはタオル本体（１０）の吸水性を利用でき、拭き取られるものにある水分（４０）を該タオルに吸い取られる。上述逆浸透膜（２０）が水分（４０）を単方向に通過させる特性によると、上述水分（４０）が再び上述逆浸透膜（２０）の外側面（２２）へ逆戻りすることを防止でき（同時に図６と図７を参照されたい）、該外側面（２２）は常に乾燥が保たれる。
【００１１】
上述の具体的な実施例構造により、以下の効果が得られる。（一）上述逆浸透膜（２０）の結合によって上述タオルには短い毛足状の毛ループ（２２１）の外側面（２２）が形成されることで、繊細な図案層（３０）を印刷しやすい目的を達せる。（二）上述逆浸透膜（２０）は水分（４０）が単方向に通過することしか提供できないことで、吸い取った上述水分（４０）は再び上述逆浸透膜（２０）の外側面（２２）へ逆戻りすることを防止できるため、該外側面（２２）が常に乾燥が保たれ、上述外側面（２２）にある図案層（３０）が長時間にわたって湿った状態になって抜けやすくなることが避けられる。（三）上述逆浸透膜（２０）の外側面（２２）は常に乾燥が保たれるため、取る時に湿った感じが避けられ、使用上においても衛生的であり、タオルが湿ったために細菌が大量発生することを防止できる。
【００１２】
以上は、本考案に係る実施例の一部に過ぎないため、本考案の実施範囲を制限するものではない。即ち、本考案の実用新案登録請求の範囲内で行われる変化、修飾なども本考案の範囲に属すべきである。
【符号の説明】
【００１３】
１０              タオル本体
１１              第一表面
１２              第二表面
１２１            パイル層
２０              逆浸透膜
２１              内側面
２２              外側面
２２１            毛ループ
３０              図案層
４０              水分
【図１】
0003228230.tif 000003
【図２】
0003228230.tif 000004
【図３】
0003228230.tif 000005
【図４】
0003228230.tif 000006
【図５】
0003228230.tif 000007
【図６】
0003228230.tif 000008
【図７】
0003228230.tif 000009